(57)【要約】      （修正有）【課題】重心移動を合理的にする事で、体重移動を理想的にし、下肢に掛かる負荷を全方位に適正に分散し、下肢に生じる運動器障害や、疼痛などを解消し、本来の下肢運動能力を容易に発揮できる靴中敷き用ブロックと靴中敷きを提供する。【解決手段】踵領域に対応させた肉厚片からなるブロックＡと、踵領域から小指球の手前に至る外側領域に対応させた肉厚片からなるブロックＢと、踵領域から土踏まずの領域を経て母指球の手前に至る内側領域に対応させた肉厚片からなるブロックＣとからなる靴中敷き用ブロックを、靴中敷き本体１の裏面に備えるようにした。【選択図】図５
2011224180.tif 000002
【特許請求の範囲】
【請求項１】
踵領域に対応させた肉厚片からなるブロックＡと、踵領域内側から小指球の手前に至る外側領域に対応させた肉厚片からなるブロックＢと、踵領域内側から土踏まずの領域を経て母指球の手前に至る内側領域に対応させた肉厚片からなるブロックＣとからなることを特徴とする靴中敷き用ブロック。
【請求項２】
前記各ブロックＡ，Ｂ，Ｃを構成する肉厚片の厚みを０．１ｍｍ〜８ｍｍの範囲に設定したことを特徴とする請求項１記載の靴中敷き用ブロック。
【請求項３】
前記ブロックＡに対して，前記ブロックＢ，Ｃの少なくとも何れかが一体に形成されていることを特徴とする請求項１記載または２記載の靴中敷き用ブロック。
【請求項４】
請求項１乃至３の何れかに記載の靴中敷き用ブロックを靴中敷き本体の裏面に備えたことを特徴とする靴中敷き。
【請求項５】
前記靴中敷き用ブロックと前記靴中敷き本体とが一体に形成されていることを特徴とする請求項４記載の靴中敷き。
【発明の詳細な説明】
【技術分野】
【０００１】
本考案は、人の足に懸かる重心を調整し、下肢全般において自然な運動を自発的に発揮させる機能を有する靴中敷き用ブロックと靴中敷きに関する。
【背景技術】
【０００２】
従来、人の足に懸かる重心を調整し、下肢全般において自然な運動を自発的に発揮させる機能を有する靴中敷きは、例えば、特許文献１乃至７或いは非特許文献１乃至５において開示されるように、図６の足の骨格図に基づいて説明すれば、踵ａ、母指球ｂ、小指球ｃの３点をもって、体重を支え、それらを結ぶアーチがクッションの役目をしいると考えられていて、図６において破線で示したように、体重は歩行時に、踵ａを基点として土踏まずｄを避ける様に踵ａから立方骨ｅを経て母指ｆへと向かうように移動させるのが好ましい、いわゆる『あおり』という概念に基づき設計されていた。具体的には、中敷き本体の表面若しくは裏面に合成樹脂製の凸凹状物を配置して、歩行時の体重移動を踵ａから土踏まずｄを避ける様に立方骨ｅを経て母指ｆへ抜けるように導くように設計されていた。また、土踏まずｄを持ち上げて偏平足などにも効果があるとされていた。
【先行技術文献】
【特許文献】
【０００３】
【特許文献１】特開２００１−３５３００５号公報
【特許文献２】特開２００１−２６９２０１号公報
【特許文献３】特開２０００−３５４５０３号公報
【特許文献４】特開平１１−２２６０４２号公報
【特許文献５】特開平９−２２４７０３号公報
【特許文献６】特開２００７−６１５６３号公報
【特許文献７】特開２００７−１７５５３２号公報
【非特許文献】
【０００４】
【非特許文献１】ヒトの足  この謎にみちたもの  水野祥太郎  創元社                    ３〜１２、５１〜１５５、１７２〜２５８                    （昭和５９年５月１０日発行）
【非特許文献２】ひ弱になる日本人の足  近藤四郎  草思社                    ９〜１１７                    （平成５年１１月１５日発行）
【非特許文献３】ボディダイナミックス入門  歩き始めと歩行の分析                    江原義弘  山本澄子  医歯薬出版株式会社                    （平成１４年１０月１５日発行）
【非特許文献４】ペリー歩行分析  正常歩行と異常歩行                    Jacquelin  Perry  統括監訳者  武田巧                    医歯薬出版株式会社  ２〜９３                    （平成１９年５月２０日発行）
【非特許文献５】NHK  人間講座  古の武術に学ぶ  甲野善紀                    日本放送協会出版  １０２〜１１０                    （平成１５年１０月１日発行）
【発明の概要】
【発明が解決しようとする課題】
【０００５】
しかしながら、前記概念に基づき設計されている靴中敷きは、効果が必ずしも期待通りには得られず、場合によっては足や膝に痛みが発生し歩行が困難になる場合もあって、実際の効果と理論には疑問が残るものであった。
そこで、本考案は、前記従来の概念とは全く別の概念に基づいて、人の足に懸かる重心を調整し、下肢全般において自然な運動を自発的に発揮させる機能を有する靴中敷き用ブロックと靴中敷きを提供しようとするものである。
即ち、重心移動を合理的にする事で、体重移動を理想的にし、下肢に掛かる負荷を全方位に適正に分散し、下肢に生じる運動器障害や、疼痛などを解消し、本来の下肢運動能力を容易に発揮できる靴中敷き用ブロックと靴中敷きを提供する事を課題とする。
【課題を解決するための手段】
【０００６】
経験的に、靴の踵が極度に減っている人、言い換えれば、引きずり歩きをする傾向にある人程、腰、膝、股関節、足首などに痛みや障害があるという事に着目し、人の歩行時の重心移動を可能な限り直線とする事で歩行時の重心移動の無駄を修正し、特定の関節や筋肉に負担を掛けない重心移動が達成されるのではとの着想に至った。
そこで、本考案者が鋭意検討の結果、解剖学に於いて、足首（距骨）は土踏まず上に存在し、直立時の人間の重心は、あくまでも距骨中心であり、歩行時の重心移動における軌道は距骨の中心を通る直線上を移動することが合理的・経済的・自然的な理想であるという知見に達した。
本考案はかかる知見に基づきなされたもので、本考案の靴中敷き用ブロックは請求項１記載の通り、踵領域に対応させた肉厚片からなるブロックＡと、踵領域内側から小指球の手前に至る外側領域に対応させた肉厚片からなるブロックＢと、踵領域内側から土踏まずの領域を経て母指球の手前に至る内側領域に対応させた肉厚片からなるブロックＣとからなることを特徴とする。
また、請求項２記載の靴中敷き用ブロックは、請求項１記載の靴中敷き用ブロックにおいて、前記各ブロックＡ，Ｂ，Ｃを構成する肉厚片の厚みを０．１ｍｍ〜８ｍｍの範囲に設定したことを特徴とする。
また、請求項３記載の靴中敷き用ブロックは、請求項１記載または２記載の靴中敷き用ブロックにおいて、前記ブロックＡに対して，前記ブロックＢ，Ｃの少なくとも何れかが一体に形成されていることを特徴とする。
また、本考案の靴中敷きは、請求項４記載の通り、請求項１乃至３の何れかに記載の靴中敷き用ブロックを靴中敷き本体の裏面に備えたことを特徴とする。
また、請求項５記載の靴中敷きは、請求項４記載の靴中敷きにおいて、前記靴中敷き用ブロックと前記靴中敷き本体とが一体に形成されていることを特徴とする。
【発明の効果】
【０００７】
上記構成により、踵領域に対応させたブロックＡは、踵部を持ち上げ前内方への重心移動を容易にし、距骨下へ重心を導く機能を有する。
また、踵領域内側から小指球の手前に至る外側領域に対応させた肉厚片からなるブロックＢは、重心を外側へ逃がす事無く、距骨の中心線上へ導く機能を有する。そして、小指の底屈や背屈等を容易にする。
また、踵領域内側から土踏まずの領域を経て母指球の手前に至る内側領域に対応させたブロックＣも同様に、距骨の中心線上へ重心を導く機能を有する。そして母指の底屈・背屈等の可動を容易にし、引きずり歩きを解消し靴底を磨耗から守る。
また、ブロックＡ、Ｂ、Ｃは足底筋全体を補助しアーチを下支えし刺激することで各種縦・横のアーチを成す筋力等を賦活する。
ブロックＡ、Ｂ、Ｃがその厚さ分、足底を底上げしているので、靴に足がフィットし、疲労や靴擦れ等を予防・軽減する。
歩行時では、図６中に実線で示したように、足首（距骨ｇ）の中心を通る直線（縦軸）に体重（重心）が移動し親指と人差し指の間を通過するように歩行ができる。依って、下肢に生じる撓みや捻じれ、不要な負荷が生じる事は無く、足指は自由に屈伸・外反・内反を容易にする。結果、膝の障害・足の障害の解消、下肢・腰部筋群の強化、下肢運動能力が向上する。
距骨前方へ直線的に重心移動するので、下駄や雪駄などの鼻緒のある履物を履いている時と同様な足への効果がある。また、５本の足指は均等に動かし易く、下肢の踏ん張りも利き易い。ゴルフや野球などの身体を回転するスポーツでは、軸足母指球での回転運動が容易にできて、指先まで力が入り易いので、各種運動競技成績向上が容易であるのを始め、歩行機能回復などの治療効果がある。
また、靴中敷き表面に部品を設置しない為、それらが足裏面に触れないので、個人差より生じる痛みや不具合が生じない。
また、靴底（特に踵の外側）の磨耗を減少させ、靴が長持ちする。
【図面の簡単な説明】
【０００８】
【図１】本考案に係る靴中敷き用ブロックを右足の靴中敷きに適用した状態の一実施の形態の右側面図
【図２】同左側面図
【図３】同平面図
【図４】底面側からみた同斜視図
【図５】本考案の靴中敷きの一実施の形態の底面側からみた斜視図
【図６】足の骨格図
【発明を実施するための形態】
【０００９】
以下、本考案の靴中敷き用ブロック並びに靴中敷きの実施の形態について、図面に基づき説明する。
実施の形態として図示したものは、本考案の靴中敷き用ブロック並びに靴中敷きの一例を示すものであって、本考案の靴中敷き用ブロック並びに靴中敷きは図示されたものに限定されるものではない。
【実施例】
【００１０】
図１乃至４は本考案の靴中敷き用ブロックを右足の靴中敷きに適用した例を示すもので、図中１はＥＶＡ(エチレン酢酸ビニル共重合樹脂)の靴中敷き本体を示し、靴中敷き用ブロックを分かりやすくするため、図中では破線で示すようにした。
前記靴中敷き本体１の裏面には、図中Ａで示されるブロックＡ、Ｂで示されるブロックＢ、Ｃで示されるブロックＣが接着剤で接着固定して配置されている。
【００１１】
本実施の形態では、踵領域に対応させた肉厚片からなる半円状のブロックＡと、踵領域内側から小指球の手前に至る外側領域に対応させた肉厚片からなるブロックＢとは４部音符状の形状に一体に形成されている。
また、踵領域内側から土踏まずの領域を経て母指球の手前に至る内側領域に対応させた肉厚片からなるブロックＣは単独形状に形成されている。
【００１２】
前記各ブロックＡ，Ｂ，Ｃは、本実施の形態ではブロックＡとブロックＢとを一体に形成したが、ブロックＡとブロックＣを一体に形成しても、ブロックＡ，Ｂ，Ｃの全てを一体に形成しても、或いは、ブロックＡ，Ｂ，Ｃが各単独に形成されてもよい。
【００１３】
また、各ブロックＡ，Ｂ，Ｃを構成する肉厚片の厚みを０．１ｍｍ〜８ｍｍの範囲に設定するのが好まく、２ｍｍ〜４ｍｍの範囲に設定するのがより好ましい。
【００１４】
尚、本実施の形態では、前記各ブロックＡ，Ｂ，Ｃは加工が容易な粘着弾性包帯を利用して作製するようにした。
その他、ポリウレタン、シリコン等の合成樹脂・各種皮革・フェルト、麻、綿等の繊維・コルク材等の木材・鉄および鉄を主成分とした合金等の鉄鋼金属・チタニウム、アルミニウム等の非鉄金属を用いて作製してもよい。
【００１５】
図５は、本考案の靴中敷きの一実施の形態の斜視図を示し、図示のものは右足用の靴中敷きを示す。
先の靴中敷き用ブロックの実施の形態において、材料として、ＥＶＡを用い、各ブロックＡ，Ｂ，Ｃと靴中敷き本体１を一体に形成したもので、その他の構成は前記靴中敷き用ブロックの実施の形態と同様であるので繰り返しの説明は省略する。
【００１６】
前記靴中敷きを、痩身・外反母趾・内反小趾・下肢の浮腫・下肢冷え性・偏平足・膝痛・腰痛等の老若男女数百名に使用してもらったところ、実施約１ケ月から３ケ月で効果を実感できたと回答があった。
このように、本考案の靴中敷きによれば、人の歩行時の重心移動を可能な限り直線とする事で歩行時の重心移動の無駄を修正するので、特定の関節や筋肉に負担を掛けず、下肢の運動器の歪みや痛みが無くなる為、本考案の靴中敷き装着した靴を履いて運動をするほど、下肢関節・筋群の活性化を無意識のうちに可能するので、運動選手は競技成績の向上、老人は下肢運動器の機能向上等に非常に効果があった。
【産業上の利用可能性】
【００１７】
重心移動を合理的にする事で、体重移動を理想的にし、下肢に掛かる負荷を全方位に適正に分散し、下肢に生じる運動器障害や、疼痛などを解消し、本来の下肢運動能力を容易に発揮できる靴中敷き用ブロックと靴中敷きを提供できるので、産業上の利用可能性を有する。
【符号の説明】
【００１８】
１  靴中敷き本体
Ａ  ブロックＡ
Ｂ  ブロックＢ
Ｃ  ブロックＣ
ａ  踵
ｂ  母指球
ｃ  小指球
ｄ  土踏まず
ｅ  立方骨
ｆ  母指
ｇ  距骨
【図３】
2011224180.tif 000003
【図４】
2011224180.tif 000004
【図５】
2011224180.tif 000005
【図１】
2011224180.tif 000006
【図２】
2011224180.tif 000007
【図６】
2011224180.tif 000008